(57)【要約】【課題】所望のコントラスト比、とくに高コントラストの反射映像を得ることができる反射型スクリーンを提供する。【解決手段】反射型スクリーン１０の反射層１２側に該反射層１２の一部を露出するパターン形状の黒色層１３を形成する。【選択図】        図１
2005121964.tif 000002
【特許請求の範囲】
【請求項１】
スクリーンの反射層側に該反射層の一部を露出するパターン形状の黒色層が形成されたことを特徴とする反射型スクリーン。
【請求項２】
前記黒色層のパターン形状が、ストライプパターン、格子パターン、ドットパターンから選択された一のパターンが繰り返された形状であることを特徴とする請求項１に記載の反射型スクリーン。
【請求項３】
前記黒色層のパターン形状のサイズが、２５〜４００メッシュであることを特徴とする請求項１に記載の反射型スクリーン。
【請求項４】
前記黒色層と露出反射層とのスクリーン面積比率が１〜１０％であることを特徴とする請求項１に記載の反射型スクリーン。
【請求項５】
前記黒色層と露出反射層とのスクリーン面積比率が４０〜６０％であることを特徴とする請求項１に記載の反射型スクリーン。
【請求項６】
前記黒色層が黒色顔料を含有する塗膜であることを特徴とする請求項１に記載の反射型スクリーン。
【発明の詳細な説明】
【技術分野】
【０００１】
本発明は、前面から投射されるプロジェクター光を反射する反射型スクリーンに関するものである。
【背景技術】
【０００２】
近年、会議等において発言者が資料を提示する方法としてオーバヘッドプロジェクターやスライドプロジェクターが広く用いられている。また、一般家庭においても液晶を用いたビデオプロジェクターや動画フィルムプロジェクターが普及しつつある。これらのプロジェクターの映写方法は光源から出力された光をライトバルブによって光変調して画像光を形成し、この画像光をレンズ等の光学系を通して出射してスクリーン上に映写するものである。
【０００３】
このようなプロジェクターに用いられるスクリーンは、良好な視認性を得るために、広視野角、高コントラスト、高輝度の画像を表示することが求められている。
このうち、白色映像輝度（白レベル）と黒色映像輝度（黒レベル）との比で表されるコントラスト比は、いかにして外光の反射を抑えて黒レベルを下げるかがポイントである。
【０００４】
ところで、スクリーンのタイプとして、例えば、スクリーン前方のプロジェクター（フロントプロジェクター）から投射される画像光を反射して反射光により投影画像を見ることができるようにした反射型スクリーンがあるが、その表面は一般に白色でプロジェクター投射光を強く反射する構成となっており、白色映像は高輝度が得られるが本来反射光を期待しない黒色映像部分も周り込んだ投射光や外光等が反射され輝度を持つようになる。そのため、黒階調の再現が悪くメリハリのない映像となったり、色調が観察者の位置によりわずかにずれたりすることが起きていた。また、従来のマットスクリーンではコントラスト比が概ね２：１程度でしかないため、部屋を暗くしないとプロジェクターで投影された映像がよく見えないほどコントラスト性能に問題があった。
【０００５】
この問題を解決するためにスクリーン表面を着色してコントラスト性能を高めた反射型スクリーンがある（例えば、特許文献１，２参照。）。このスクリーンにより、黒色映像部分での反射が抑えられるため、コントラスト比４：１程度の反射映像を得ることができる。
【０００６】
【特許文献１】特開平０４−３２１０１７号公報
【特許文献２】特開平０６−２３０４７７号公報
【発明の開示】
【発明が解決しようとする課題】
【０００７】
しかしながら、上記スクリーンによってもコントラスト性能が改善されたとはいえ、この程度では未だ黒色映像輝度の沈み込みが十分とはいえず、明度差の大きい映像を楽しむことができなかった。
また、従来の白色スクリーンに比べて白色映像輝度が落ちるため、全体的に暗い映像となる場合があり、観賞用映像として好ましくないことがあった。
【０００８】
本発明は、以上の従来技術における問題に鑑みてなされたものであり、所望のコントラスト比、とくに高コントラストの反射映像を得ることができる反射型スクリーンを提供することを目的とする。
【課題を解決するための手段】
【０００９】
前記課題を解決するために提供する請求項１の発明に係る反射型スクリーンは、スクリーンの反射層側に該反射層の一部を露出するパターン形状の黒色層が形成されたことを特徴とする。
【００１０】
前記課題を解決するために提供する請求項２の発明に係る反射型スクリーンは、請求項１の発明において、前記黒色層のパターン形状が、ストライプパターン、格子パターン、ドットパターンから選択された一のパターンが繰り返された形状であることを特徴とする。
【００１１】
前記課題を解決するために提供する請求項３の発明に係る反射型スクリーンは、前記黒色層のパターン形状のサイズが、２５〜４００メッシュであることを特徴とする。
【００１２】
前記課題を解決するために提供する請求項４の発明に係る反射型スクリーンは、請求項１の発明において、前記黒色層と露出反射層とのスクリーン面積比率が１〜１０％であることを特徴とする。
【００１３】
前記課題を解決するために提供する請求項５の発明に係る反射型スクリーンは、請求項１の発明において、前記黒色層と露出反射層とのスクリーン面積比率が４０〜６０％であることを特徴とする。
【００１４】
前記課題を解決するために提供する請求項６の発明に係る反射型スクリーンは、請求項１の発明において、前記黒色層が黒色顔料を含有する塗膜であることを特徴とする。
【発明の効果】
【００１５】
本発明の効果として、本発明の反射型スクリーンによれば、プロジェクターから映像が投射される際には、白色映像の部分は反射層露出部分が入射光を反射することにより白色映像輝度が確保され、黒色映像の部分は黒色層部分が入射光を吸収することにより黒色映像輝度を沈めることができるため、反射映像のコントラスト性能が改善されるようになる。
また、反射型スクリーン表面における黒色層と露出反射層との面積比率を調整することにより、スクリーン用途に応じてコントラスト性能を適宜調整することができる。
とくに、黒色層と露出反射層との面積比率を１〜１０％とすることにより、白色映像輝度に寄与する反射層露出部分が広いため、高い輝度を保ちながら、ある程度のコントラスト性能を得ることができる。
とくに、黒色層と露出反射層との面積比率を４０〜６０％とすることにより、黒色映像輝度を沈める黒色層部分が広いため、コントラスト比１０：１程度の黒色映像輝度の沈み込みのよい深みの有る画像を得ることができる。
また、黒色層が黒色顔料を含有する塗膜であるため、一般に用いられるスクリーン材質に対して印刷など容易な技法で黒色層を形成することができ、簡便にコントラスト性能を改善することができる。
【発明を実施するための最良の形態】
【００１６】
以下に、本発明に係る反射型スクリーンの実施の形態について説明する。
図１は、本発明に係る反射型スクリーンの構成を示す断面図である。
図１に示すように、反射型スクリーン１０は、スクリーン基材１１上に、反射層１２と、黒色層１３とが順次積層された構成となっている。また、黒色層１３は不連続層であり、反射層１２の一部は黒色層１３に覆われ、残りはスクリーン表面として露出している。
【００１７】
反射型スクリーン１０をスクリーン正面から見ると図２（ａ）に示すように、反射型スクリーン１０の反射層１２側に該反射層１２の一部を露出するパターン形状の黒色層１３が形成されており、反射層１２と黒色層１３とが一定の面積比率でスクリーン表面を構成している。
【００１８】
スクリーン基材１１は、スクリーンの支持体となるものであり、スクリーンとしての強度を有するものであれば、種々の材料を用いることができるが、例えばポリエチレンテレフタレート（ＰＥＴ）、ポリエチレンナフタレート（ＰＥＮ）、ポリエーテルサルフォン（ＰＥＳ）、ポリオレフィン（ＰＯ）等のポリマーにより構成することができる。
【００１９】
反射層１２は、プロジェクター光を反射する機能を有するものであり、例えば、マット層、アルミ反射膜など従来公知の構成であればよい。
すなわち、本発明において、スクリーン基材１１、反射層１２には、ビーズタイプ、マットタイプ、シルバータイプなどプロジェクター投射用反射型スクリーンとして一般的に使用されているいずれものを適用してもよい。
【００２０】
黒色層１３は、反射層１２の表面に形成された、カーボンなどの黒色顔料を含有する塗膜であり、スクリーンへの入射光を吸収して反射しない機能を有する。
また、黒色層１３は黒色顔料を含有する塗料（インク）を使用して、スクリーン印刷法、オフセット印刷法、グラビア印刷法などにより後述する所定のパターン形状で反射層１２、すなわちスクリーン全面に印刷する方法により形成されればよい。
【００２１】
なお、黒色層１３はスクリーンの最外層として形成されることが好ましい。そのため、本発明が適用されるのは図１の構成に限定されるものではなく、例えば表面に光拡散板を有するスクリーンの場合には、その光拡散板の上に印刷により黒色層１３を形成する。
【００２２】
本発明に係る反射型スクリーン１０は、その表面の黒色層１３のパターン形状に特徴を有するものであり、例えば、黒色層１３のパターン形状はストライプパターン、格子パターン、ドットパターンから選択された一のパターンが繰り返された形状であればよい。以下にそれぞれのパターンについて説明する。
【００２３】
ストライプパターンの例を図２に示す。図２（ｂ）に示す、幅Ｗ１１で黒色層１３を形成する部分と幅Ｗ１２で黒色層１３を形成しない部分とからなるユニットを反射層１２上で繰り返して形成することで、図２（ａ）に示すように一定幅Ｗ１１の帯状の黒色層１３が一定間隔Ｗ１２で繰り返し形成されたパターン形状を呈している。
このストライプパターンは縦縞でよいが、斜め縞や横縞であってもよい。
あるいは、上記ユニットの繰り返し方を変えることにより、市松模様としてもよい。
【００２４】
格子パターンの例を図３に示す。図３（ｂ）に示す、幅Ｗ２１でＬ字型の黒色層２３を形成する部分と横Ｗ２２、縦Ｗ２３で黒色層２３を形成しない四角形部分とからなるユニットを反射層２２上で繰り返し形成することで、図３（ａ）に示すように黒色層２３が格子をなすように繰り返し形成されたパターン形状を呈している。また、通常は黒色層２３を形成しない四角形部分の横Ｗ２２と縦Ｗ２３の距離を等しくする。
この格子パターンは縦横の格子でよいが、斜め格子のパターンであってもよい。また、格子を構成する直線部分は均一な太さでよいが、その直線同士が交差する部分のみ太くなるようにしてもよい。
【００２５】
ドットパターンの例を図４に示す。図４（ｂ）に示す、横Ｗ３１、縦Ｗ３２の領域内の中央に径ｄ３１の円形の黒色層３３を形成し、それ以外の部分は黒色層３３を形成しないユニットを反射層３２上で繰り返し形成することで、図４（ａ）に示すように円形ドットの黒色層３３が一定間隔（横Ｗ３１、縦ｗ３２）で繰り返し形成されたパターン形状を呈している。また、通常はユニットの横Ｗ３１と縦Ｗ３２の距離を等しくする。
このドットパターンは円形でよいが、十字型やひし形、あるいはそれらを組み合わせた混合パターンであってもよい。また、図４ではドットが規則的に配列される場合であるが、反射型スクリーン３０の単位面積当りで均等な黒色比率となる範囲内でドットをランダムな配置としてもよい。
【００２６】
上記パターン形状の微細さ、すなわちサイズは、映像ソースやスクリーンサイズなどにより決定される。
【００２７】
汎用的に使用する場合には、例えば、格子パターンの場合には、２５〜４００メッシュ（１インチ角の正方形の一辺に形成される格子桝目の数）とするのが好ましい。ドットパターンの場合も、黒色層によるドットを格子点とみて、２５〜４００メッシュとすればよい。
また、ストライプパターンの場合には、黒色層１３のストライプのピッチを上記２５〜４００メッシュに相当する寸法１ｍｍ〜０．０６３ｍｍとすればよい。
【００２８】
本発明の反射型スクリーン１０によれば、プロジェクターから映像が投射される際には、白色映像の部分は反射層１２部分が入射光を反射することにより白色映像輝度が確保され、黒色映像の部分は黒色層１３部分が入射光を吸収することにより黒色映像輝度を沈めることができるため、反射映像のコントラスト性能が改善されるようになる。
【００２９】
また、上記いずれのパターン形状についても、反射型スクリーン表面における黒色層と露出反射層との面積比率を調整することにより、スクリーン用途に応じてコントラスト性能を適宜調整することができる。具体的には、ストライプパターンの場合（図２）には黒色層１３の幅Ｗ１１と反射層１３の幅Ｗ１２との比率を調整する。また、格子パターンの場合（図３）には黒色層２３の幅Ｗ２１、反射層２２の寸法（横Ｗ２２，縦Ｗ２３）を調整する。また、ドットパターンの場合（図４）には黒色層３３のドット径ｄ３１、ユニット寸法（横Ｗ３１，縦Ｗ３２）を調整する。
【００３０】
コントラスト性能の調整としては、明るく視認性のよい映像が必要なプレゼンテーション用途等には面積比率を低く、ホームシアターなどの高いコントラスト比で深みの有る映像が必要な用途には面積比率を高く設定すればよい。
例えば、黒色層と露出反射層との面積比率を１〜１０％とすることにより、高い輝度を保ちながら、ある程度のコントラスト性能を得ることができる。
また、黒色層と露出反射層との面積比率を４０〜６０％とすることにより、輝度は落ちるがコントラスト比１０：１程度の黒色映像輝度の沈み込みのよい深みの有る画像を得ることができる。
【図面の簡単な説明】
【００３１】
【図１】本発明に係る反射型スクリーンの断面構成図である。
【図２】本発明に係る反射型スクリーンのストライプパターンの場合の正面構成図である。
【図３】本発明に係る反射型スクリーンの格子パターンの場合の正面構成図である。
【図４】本発明に係る反射型スクリーンのドットパターンの場合の正面構成図である。
【符号の説明】
【００３２】
１０，２０，３０…反射型スクリーン、１１…スクリーン基材、１２，２２，３２…反射層、１３，２３，３３…黒色層
【図１】
2005121964.tif 000003
【図２】
2005121964.tif 000004
【図３】
2005121964.tif 000005
【図４】
2005121964.tif 000006